(57)【要約】【課題】屋根面の傾斜方向に風を通すことができると共に、パネル体を容易に取外し可能な太陽光発電装置を提供する。【解決手段】太陽光発電パネル１を保持してなるパネル体１０と、パネル体１０を支持する架台２とを設け、架台２は、パネル体１０の縁部のうち屋根面３の傾斜方向に沿う縦辺を支持固定する縦レール部材２０と、縦レール部材２０間に設けられパネル体１０の縁部のうち屋根面３の傾斜方向と直交する左右方向に沿う横辺を支持固定する中間ブラケット２１とからなり、縦レール部材２０は、屋根体３に配置されるパネル体１０の傾斜方向に沿う長尺状に形成され、中間ブラケット２１は、縦レール部材２０間の距離よりも短く形成される。【選択図】図２
2013076304.tif 000002
【特許請求の範囲】
【請求項１】
建物の屋根面に太陽光発電パネルが固定される太陽光発電装置において、
前記太陽光発電パネルを保持してなるパネル体と、該パネル体を支持する架台とが設けられ、
前記架台は、前記パネル体の縁部のうち前記屋根面の傾斜方向に沿う縦辺を支持固定する縦レール部材と、該縦レール部材間に設けられ前記パネル体の縁部のうち前記屋根面の傾斜方向と直交する左右方向に沿う横辺を支持固定する中間ブラケットとからなり、
前記縦レール部材は、前記屋根体に配置されるパネル体の傾斜方向に沿う長尺状に形成され、前記中間ブラケットは、前記縦レール部材間の距離よりも短く形成されることを特徴とする太陽光発電装置。
【請求項２】
前記パネル体は、前記太陽光発電パネルの縦辺を保持する縦枠と、前記太陽光発電パネルの上下辺をそれぞれ保持する上枠及び下枠とを有し、前記上枠は係合部を有し、前記中間ブラケットは前記上枠の係合部を係合させて前記パネル体の厚み方向への移動を規制する被係合部を有し、該被係合部は前記係合部との係合位置の側部に、前記係合部の幅以上の幅を有する切欠部を有してなることを特徴とする請求項１記載の太陽光発電装置。
【請求項３】
前記下枠は差込係合部を有し、前記中間ブラケットは前記下枠の差込係合部を係合させて前記パネル体の厚み方向への移動を規制する差込被係合部を有することを特徴とする請求項２記載の太陽光発電装置。
【請求項４】
前記縦レール部材は、前記屋根面に対して固着される底面部と、該底面部から立ち上がり左右方向に隣接する２枚のパネル体の縦枠をそれぞれ固定自在な２つのパネル固定部を有し、該２つのパネル固定部は離隔して配置されていることを特徴とする請求項２または３記載の太陽光発電装置。
【請求項５】
建物の屋根面に太陽光発電パネルを固定する太陽光発電装置の設置方法において、
前記太陽光発電パネルを保持してなるパネル体と、該パネル体の縁部のうち前記屋根面の傾斜方向に沿う縦辺を長手方向に沿って支持固定する長尺状の縦レール部材と、前記パネル体の縁部のうち前記屋根面の傾斜方向と直交する左右方向に沿う横辺を支持固定する中間ブラケットとを有する架台とを用意し、
前記縦レール部材は、前記屋根体に配置されるパネル体の傾斜方向に長手方向が沿うと共に、該長手方向と直交する方向に沿う所定間隔で複数が配置固定され、前記中間ブラケットは、前記縦レール部材間の距離よりも短く形成されると共に、前記縦レール部材間に配置固定され、前記縦レール部材および中間ブラケットに対して前記パネル体が固定されることを特徴とする太陽光発電装置の設置方法。
【発明の詳細な説明】
【技術分野】
【０００１】
本発明は、建物の屋根に設置される太陽光発電パネルを支持してなる太陽光発電装置およびその設置方法に関し、特に複数の太陽光発電パネルを支持すると共に、太陽光発電パネルを１枚ずつ取外し自在な太陽光発電装置およびその設置方法に関する。
【背景技術】
【０００２】
建物の屋根面に太陽光発電パネルを設置するには、それを支持、固定する支持構造を設け、太陽光発電装置を構成する必要がある。太陽光発電装置のうち、屋根一体型の構造では、まず、木材からなる野地板に防水加工を施した上で、その表面に鋼板を敷設する。この鋼板の上、または鋼板の下に潜り込ませるようにして、太陽光発電パネルを支持する架台を設置する。太陽光発電パネルは、これを四周に渡って保持する枠体に囲まれてパネル体を構成しており、パネル体は枠体の周縁部が架台に載置され、固定がなされる。
【０００３】
パネル体を支持する架台は、屋根面の傾斜方向に沿う縦レール部材と、傾斜方向と直交する左右方向に沿う横レール部材とを組んで構成されている。かかる構成を有する太陽光発電装置としては、例えば特許文献１に挙げるようなものがある。
【先行技術文献】
【特許文献】
【０００４】
【特許文献１】特開２００１−２６２８００号公報
【発明の概要】
【発明が解決しようとする課題】
【０００５】
縦レール部材と横レール部材で架台を構成した場合、横レール部材が障害となって屋根の軒側から棟側に風が抜ける妨げとなる。特に横レール部材により太陽光発電パネル裏面に風が当たることが妨げられる。太陽光発電パネルは温度が上昇することにより発電効率が低下するため、適宜冷却を行う必要があるが、太陽光発電パネル裏面の直下を風が抜けにくいため、冷却効率が低くなるという問題があった。一方で、風を通すために横レール部材を設けないと、横方向においてパネル体が撓んで十分に支持できなかった。また、縦レール部材と横レール部材で架台を構成した場合、全体高さが高くなり、瓦と太陽電池パネルを同時に敷設した場合、太陽電池パネル部分のみ高くなってしまい、周囲とのバランスがとれなかった。
【０００６】
また、パネル体は傾斜方向及び左右方向に複数枚が配置されるが、パネル体の固定構造が複雑であったため、太陽光発電パネルを交換するためパネル体を取り外す作業が面倒なものとなっていた。
【０００７】
本発明は前記課題を鑑みてなされたものであり、屋根面の傾斜方向に風を通すことができると共に、パネル体を容易に取外し可能な太陽光発電装置およびその設置方法を提供することを目的とする。
【課題を解決するための手段】
【０００８】
前記課題を解決するため、本発明に係る太陽光発電装置は、建物の屋根面に太陽光発電パネルが固定される太陽光発電装置において、
前記太陽光発電パネルを保持してなるパネル体と、該パネル体を支持する架台とが設けられ、
前記架台は、前記パネル体の縁部のうち前記屋根面の傾斜方向に沿う縦辺を支持固定する縦レール部材と、該縦レール部材間に設けられ前記パネル体の縁部のうち前記屋根面の傾斜方向と直交する左右方向に沿う横辺を支持固定する中間ブラケットとからなり、
前記縦レール部材は、前記屋根体に配置されるパネル体の傾斜方向に沿う長尺状に形成され、前記中間ブラケットは、前記縦レール部材間の距離よりも短く形成されることを特徴として構成されている。
【０００９】
また、本発明に係る太陽光発電装置は、前記パネル体は、前記太陽光発電パネルの縦辺を保持する縦枠と、前記太陽光発電パネルの上下辺をそれぞれ保持する上枠及び下枠とを有し、前記上枠は係合部を有し、前記中間ブラケットは前記上枠の係合部を係合させて前記パネル体の厚み方向への移動を規制する被係合部を有し、該被係合部は前記係合部との係合位置の側部に、前記係合部の幅以上の幅を有する切欠部を有してなることを特徴として構成されている。
【００１０】
さらに、本発明に係る太陽光発電装置は、前記下枠は差込係合部を有し、前記中間ブラケットは前記下枠の差込係合部を係合させて前記パネル体の厚み方向への移動を規制する差込被係合部を有することを特徴として構成されている。
【００１１】
さらにまた、本発明に係る太陽光発電装置は、前記縦レール部材は、前記屋根面に対して固着される底面部と、該底面部から立ち上がり左右方向に隣接する２枚のパネル体の縦枠をそれぞれ固定自在な２つのパネル固定部を有し、該２つのパネル固定部は離隔して配置されていることを特徴として構成されている。
【００１２】
そして、本発明に係る太陽光発電装置の設置方法は、建物の屋根面に太陽光発電パネルを固定する太陽光発電装置の設置方法において、
前記太陽光発電パネルを保持してなるパネル体と、該パネル体の縁部のうち前記屋根面の傾斜方向に沿う縦辺を長手方向に沿って支持固定する長尺状の縦レール部材と、前記パネル体の縁部のうち前記屋根面の傾斜方向と直交する左右方向に沿う横辺を支持固定する中間ブラケットとを有する架台とを用意し、
前記縦レール部材は、前記屋根体に配置されるパネル体の傾斜方向に長手方向が沿うと共に、該長手方向と直交する方向に沿う所定間隔で複数が配置固定され、前記中間ブラケットは、前記縦レール部材間の距離よりも短く形成されると共に、前記縦レール部材間に配置固定され、前記縦レール部材および中間ブラケットに対して前記パネル体が固定されることを特徴として構成されている。
【発明の効果】
【００１３】
本発明に係る太陽光発電装置によれば、縦レール部材は屋根体に配置されるパネル体の傾斜方向に沿う長尺状に形成され、中間ブラケットは縦レール部材間の距離よりも短い短尺状に形成されることにより、パネル体を確実に支持しつつ、屋根面の傾斜方向に風を通すことができるので、太陽光発電パネルの下面側に風を通して効率よく冷却をなすことができる。
【００１４】
また、本発明に係る太陽光発電装置によれば、中間ブラケットは上枠の係合部を係合させてパネル体の厚み方向への移動を規制する被係合部を有し、被係合部は係合部との係合位置の側部に係合部の幅以上の幅を有する切欠部を有してなることにより、パネル体のスライド移動により、中間ブラケットに対してパネル体を係脱させることができるので、パネル体の取付け、取外し作業を容易にすることができる。
【００１５】
さらに、本発明に係る太陽光発電装置によれば、中間ブラケットは下枠の差込係合部を係合させてパネル体の厚み方向への移動を規制する差込被係合部を有することにより、パネル体のスライド移動により係合部の係合を解除した状態で、差込係合部と差込被係合部の係合状態を容易に解除してパネル体を取外すことができる。
【００１６】
さらにまた、本発明に係る太陽光発電装置によれば、縦レール部材に形成される２つのパネル固定部は離隔して配置されていることにより、パネル体のスライド移動のためのスペースを確保することができる。
【図面の簡単な説明】
【００１７】
【図１】本実施形態における太陽光発電装置の平面図である。
【図２】図１のＡ−Ａ断面図である。
【図３】図１のＢ−Ｂ断面図である。
【図４】図２のうち縦レール部材付近の拡大図である。
【図５】図４の分解図である。
【図６】図３のうち中間ブラケット付近の拡大図である。
【図７】中間ブラケット付近の拡大断面図であって係合部と被係合部の係合解除前後の状態を表した図である。
【発明を実施するための形態】
【００１８】
本発明の実施形態について図面に沿って詳細に説明する。本実施形態の太陽光発電装置は、傾斜面状に構成されてなる建物の屋根に取付けられるものである。すなわち、太陽光発電装置は、屋根面の傾斜に沿って設けられている。また、本実施形態の太陽光発電装置は、建物の施工時に屋根と一体的に形成されるものであり、建物の屋根を兼ねた屋根一体型の支持構造を有してなるものである。
【００１９】
図１には、本実施形態における太陽光発電装置の平面図を示している。本実施形態では、屋根面の傾斜方向に沿って２枚、屋根面の傾斜方向と直交する左右方向に沿って３枚の太陽光発電パネル１を並設しており、合計で６枚の太陽光発電パネル１を支持固定している。太陽光発電パネル１は、方形状に枠組みされた枠体１１によって周縁部を保持されてパネル体１０を構成しており、このパネル体１０が屋根面に設置される架台２によって支持されている。
【００２０】
枠体１１は、太陽光発電パネル１の縁部のうち屋根面の傾斜方向に沿う縦辺を保持する縦枠１３と、太陽光発電パネル１の縁部のうち屋根面の傾斜方向と直交する左右方向に沿う横辺を保持する横枠１２とからなっている。横枠１２は、パネル体１０の上辺を構成する上枠５０と、パネル体１０の下辺を構成する下枠５５とからなっている。縦枠１３は、架台２を構成する縦レール部材２０によって支持固定されており、横枠１２は、架台２を構成する中間ブラケット２１によって支持されている。
【００２１】
架台２を構成する縦レール部材２０は、左右方向に隣接するパネル体１０の縦辺をそれぞれ支持固定できるように、長尺状に形成され、左右方向に一定間隔で配置される。本実施形態では、パネル体１０は左右方向に３枚配置されるので、図１に示すように、左右方向両端に配置されて一方側のみパネル体１０を支持固定する縦レール部材２０と、左右方向中間位置に配置されて両側でパネル体１０を支持固定する縦レール部材２０が、それぞれ設けられる。
【００２２】
パネル体１０の横辺については、短尺状に形成された中間ブラケット２１によって支持される。その詳細な構成については後述する。また、太陽光発電装置の下端部には、左右方向に沿って軒側端部材２２が、太陽光発電装置の上端部には、左右方向に沿って棟側端部材２３が、それぞれ設けられる。
【００２３】
太陽光発電装置につきより詳細に説明する。図２には図１のＡ−Ａ断面図を、図３には図１のＢ−Ｂ断面図を、それぞれ示している。なお、図２はＡ−Ａ断面のうち左半分を省略すると共に、中間の一部を省略し、また、図３ではＢ−Ｂ断面のうち中間の一部を省略している。図２に示すように、建物の屋根面３は、左右方向に一定間隔で配置される垂木３２によって野地板３０が支持されて構成されている。野地板３０は木材からなり、その表面には防水シート３１が張られている。
【００２４】
屋根面３の表面には、鋼板４が敷設され、鋼板４の上に架台２が設置されてパネル体１０を支持固定している。架台２は、前述のようにパネル体１０の縦辺を支持固定する縦レール部材２０を有している。縦レール部材２０は、垂木３２の間隔に合わせてその直上に配置され、屋根面３及び垂木３２に対してビス止め固定される。これにより、架台２の固定強度を大きくすることができる。
【００２５】
架台２は、縦レール部材２０と、縦レール部材２０間に設けられる中間ブラケット２１とによって構成されている。縦レール部材２０は、パネル体１０の縦枠１３を長手方向に沿って支持し、中間ブラケット２１は、パネル体１０の横枠１２を一定間隔毎に支持している。中間ブラケット２１の左右方向の長さは、縦レール部材２０間の距離よりも小さいため、架台２にはパネル体１０の下方に屋根面の傾斜方向に沿って貫通する空間領域が形成され、この空間領域を空気が抜けることができるようになっている。
【００２６】
図３に示すように、中間ブラケット２１は、屋根面の傾斜方向に沿って隣接する２枚のパネル体１０を構成する各横枠１２、１２を支持し、棟側端部と軒側端部では、それぞれ１つの横枠１２を支持しており、各パネル体１０の左右方向における中間部において、パネル体１０の厚み方向への移動を規制している。これにより、風圧等によるパネル体１０の撓みを防止することができる。
【００２７】
次に、縦レール部材２０の固定構造につき詳細に説明する。図４には図２のうち縦レール部材２０付近の拡大図を、図５には図４の分解図を、それぞれ示している。縦レール部材２０は、屋根面３に敷設される鋼板４に載置され、鋼板４を介して屋根面３に対して固定される底面部４０と、底面部４０から立ち上がる内側レール部４１及び外側レール部４２と、内側レール部４１のさらに内側に形成されるアタッチメント固定部４３を有している。
【００２８】
底面部４０は、前述のように鋼板４の突き合わせ部５よりも幅広となるように形成されていて、突き合わせ部５を外部に直接露出させないようにしている。また、底面部４０の中央位置において、縦レール部材２０はビス４８によって屋根面３に対し固定されている。
【００２９】
内側レール部４１と外側レール部４２は、それぞれアタッチメント固定部４３を挟んだ一組の立ち上がり片からなっている。内側レール部４１は、底面部４０から垂直方向に立ち上がっており、その上端部にはそれぞれ縦レール部材２０の中央側に向かって伸びる面状のパネル固定部４４を有していて、内側レール部４１とパネル固定部４４とで断面略Ｌ字状をなすように形成されている。
【００３０】
縦レール部材２０は、外側レール部４２と内側レール部４１を備えているから、底面部４０とで内側レール部４１と外側レール部４２と底面部４０とからなる外側の大きな凹部と内側レール４１とアタッチメント固定部４３と底面部４０とからなる内側の小さな凹部をそれぞれ形成している。したがって、太陽光発電パネル１間より水が浸入したとしても、これらの凹部が水通路となり屋根下方に水が流れるので、ビス４８による固定位置に水が浸入しないようにすることができる。さらに、パネル固定部４４は、縦レール部材２０の中央側端部がアタッチメント固定部４３よりも外側位置にあるため、仮にパネル固定部４４の上面側に水が浸入したとしても、浸入した水はアタッチメント固定部４３よりも外側の内側レール部４１間の領域に落ちるから、アタッチメント固定部４３の内側、すなわちビス４８の固定位置側には水が浸入しないようにすることができる。
【００３１】
また、底面部４０のビス４８を固定する部分は、厚肉状とされた凸部４０ａが形成されており、凸部４０ａが形成されていることで、アタッチメント固定部４３で囲まれたビス４８の固定位置に仮に水が浸入したとしても、アタッチメント固定部４３と凸部４０ａにより凹部による水通路が形成され、該通路を通り屋根下方に水が流れるので、屋根面３に挿通されるネジ面に水が浸入しないようにすることができ、防水性をさらに高くすることができる。
【００３２】
縦レール部材２０のパネル固定部４４に対しては、パネル体１０の縦枠１３が載置され、締結具であるボルトにより固着されている。縦枠１３は、太陽光発電パネル１の周面と対向する周面部１３ａと、周面部１３ａからパネル体１０の外周側に突出する平面状の固定面部１３ｂと、周面部１３ａからパネル体１０の内周側に突出し太陽光発電パネル１の周縁部を保持するパネル保持部１３ｃとを備えている。このうち縦枠１３の固定面部１３ｂが、縦レール部材２０のパネル固定部４４に載置され、固着される。また、縦枠１３にはフランジ１３ｇが長手方向に沿って形成されており、該フランジ１３ｇ上には横枠１２が載置される。詳細には、図６に示すようにフランジ１３ｇ上には横枠１２である、パネル体１０の上辺を構成する上枠５０と、パネル体１０の下辺を構成する下枠５５が載置されている。
【００３３】
縦レール部材２０は、中央部のアタッチメント固定部４３を挟んで両側にそれぞれパネル固定部４４が形成されるので、隣接する左右のパネル体１０の縦枠１３を、それぞれ支持固定することができる。左右のパネル固定部４４は、先端部間が離隔しているため、縦レール部材２０においてはアタッチメント固定部４３及びビス４８の上方が開放状となっている。これに伴い、隣接する両縦枠１３も離隔した状態で支持固定されている。このため、パネル体１０の取付けや取外しの際には、縦枠１３を左右方向にスライド移動させることが可能となっている。
【００３４】
また、左右のパネル固定部４４が離隔しており、アタッチメント固定部４３及びビス４８の上方が開放状となっているため、縦レール部材２０を屋根面３に対し容易に固定することができると共に、取外しも容易にすることができる。さらには、縦枠１３を縦レール部材２０に固定する際には、縦枠１３の固定面部１３ｂを縦レール部材２０のパネル固定部４４に載置して固定すればよいので、位置合わせも容易にすることができる。
【００３５】
縦レール部材２０のアタッチメント固定部４３は、ビス４８による固定位置を挟んで断面略Ｌ字状の一組の突出部からなっている。このアタッチメント固定部４３には、カバー用アタッチメント４６が係合固定され、カバー用アタッチメント４６には縦レールカバー４５が固定される。
【００３６】
カバー用アタッチメント４６は、下端部にアタッチメント固定部４３に対し係合自在な係合部４６ａを備えている。カバー用アタッチメント４６はアタッチメント固定部４３からパネル体１０の上面近傍位置までの高さを有しており、上端部には縦レールカバー４５を固定自在なカバー固定部４６ｂを備えている。
【００３７】
縦レールカバー４５は、カバー固定部４６ｂに対してビス止め固定されるカバー側固着部４５ａと、カバー側固着部４５ａから左右に伸びるカバー部４５ｂと、カバー両端面に下方へ突出する突起部４５ｃとからなっている。カバー部４５ｂは、左右方向に隣接する縦枠１３の周面部１３ａ間に形成される空間部分を覆うと共に、パネル体１０を構成する縦枠１３のパネル保持部１３ｃの周縁部にかかる位置まで伸びるように形成されており、また突起部４５ｃにより確実にパネル体１０と接触することで、縦レール部材２０への水の浸入を防止している。また縦枠１３には、上方向に突出する突起部１３ｈが設けられており、突起部１３ｈは、縦レールカバー４５に確実に接触することで、水の浸入を突起部４５ｃとともに二重で防止している。
【００３８】
次に、中間ブラケット２１の構成につき詳細に説明する。図６には図３のうち中間ブラケット付近の拡大図を示している。この図に示すように、中間ブラケット２１は、屋根面３に載置されて固定される底面部６０と、底面部６０の上部に形成される断面中空状の中空部６１とを有して形成されている。中空部６１の上面には、屋根面３の傾斜方向に沿って被係合部６２と差込被係合部６３とが形成されている。被係合部６２は、上側に開口しており、開口側が幅狭で、奥側が幅広となるように形成されている。差込被係合部６３は、棟側に向かって開口する凹状に形成されている。
【００３９】
パネル体１０を構成する上枠５０は、中空部５１の内周側に太陽光発電パネル１を保持するパネル保持部５２が形成され、下面には中間ブラケット２１の被係合部６２に対して係合される係合部５３が形成されている。係合部５３は、中空部から下方に向かって突出し、先端部が幅広に形成されていて、中間ブラケット２１の被係合部６２に係合されることで、パネル体１０の厚み方向への上枠５０の移動が規制される。
【００４０】
パネル体１０を構成する下枠５５は、中空部５６の内周側に太陽光発電パネル１を保持するパネル保持部５７が形成され、下面には中間ブラケット２１の差込被係合部６３に対して係合される差込係合部５８が形成されている。差込係合部５８は、中空部５６から下方に向かって突出し、先端部はさらに軒側に向かって突出するように形成されていて、中間ブラケット２１の差込被係合部６３に対して差込状に係合されることで、パネル体１０の厚み方向への下枠５５の移動が規制される。
【００４１】
これら係合部５３と被係合部６２の係合及び差込係合部５８と差込被係合部６３の係合により、上枠５０と下枠５５はそれぞれ中間ブラケット２１に支持されると共に、パネル体１０の下面側から風により吹き上げられた際には、パネル体１０の撓みを抑えることができる。本実施形態の太陽光発電装置では、屋根面３の傾斜方向については、縦レール部材２０により長手方向に沿ってパネル体１０が支持されている一方、屋根面３の傾斜方向と直交する左右方向については、長手方向に沿う支持部材は設けられていないが、中間ブラケット２１が設けられていることにより、パネル体１０を十分に支持固定することができる。
【００４２】
そして、中間ブラケット２１は縦レール部材２０間の距離よりも短い短尺状に形成されているから、パネル体１０の下面側には、屋根面３の傾斜方向に沿う空間が形成され、太陽光発電パネル１の下面に風を通すことができる。空間が屋根面の傾斜方向に沿って形成されるから、自然対流により効率的に太陽光発電パネル１の冷却をなすことができる。
【００４３】
また、本実施形態では、パネル体１０を１枚ずつ取付けたり取外すことができるように構成されている。パネル体１０は、前述のように、縦枠１３と縦レール部材２０とを固定する締結具を外すことで、左右方向にスライド移動させることが可能となっており、このスライド移動に伴い、上枠５０の係合部５３と中間ブラケット２１の被係合部６２との係合状態が解除自在とされている。
【００４４】
図７には、中間ブラケット２１付近の拡大断面図であって係合部５３と被係合部６２の係合解除前後の状態を表した図を示している。図７（ａ）は係合部５３と被係合部６２とが係合した状態であり、この図に示すように、上枠５０の係合部５３は、中間ブラケット２１の固定位置の左右が、それぞれ切り欠かれており、切欠部５４を形成している。切欠部５４は、係合部５３の左右方向幅、すなわち中間ブラケット２１の左右方向幅よりも幅広となるように形成されている。
【００４５】
図７（ｂ）に示すように、パネル体１０を左右方向にスライド移動させることにより、中間ブラケット２１は切欠部５４内に配置されて、係合部５３と被係合部６２との係合状態が解除される。この状態とすることにより、パネル体１０の上辺を持ち上げることができるようになる。パネル体１０の下辺は、差込状に係合がなされているから、パネル体１０の上辺側の固定が解除されれば、容易に係合状態を解除することができ、パネル体１０を取外すことができる。
【００４６】
図６に示すように、下枠５５には、上面から傾斜方向下方に向かって突出する覆い部５９が形成されており、覆い部５９は隣接するパネル体１０の上枠５０の上面を覆うように当接している。上枠５０の上面は、下枠５５と対向する側が、覆い部５９の厚み分、凹むように形成されており、覆い部５９が当接することにより、隣接するパネル体１０の上枠５０と下枠５５とが略面一状となるように形成されている。
【００４７】
このように、隣接するパネル体１０の上枠５０が下枠５５の上面を覆うように当接しているので、パネル体１０の上面を伝わって流れる雨水が、円滑に流れるようにすることができると共に、水がパネル体１０の下面側に浸入することを防止することができる。また、隣接するパネル体１０の上枠５０と下枠５５は、覆い部５９のみで連係し、それ以外の部分は直接接していないから、前述のようにパネル体１０を取外すためパネル体１０の上辺を持ち上げた際に、上枠５０と下枠５５とが干渉することなく、覆い部５９を中心としてパネル体１０を回転移動させることができ、パネル体１０の取外し作業を容易に行うことができる。また、パネル体１０の取付作業の際にも、回転及びスライド移動によって容易に作業を行うことができる。
【００４８】
以上、本発明の実施形態について説明したが、本発明の適用は本実施形態には限られず、その技術的思想の範囲内において様々に適用されうるものである。例えば、太陽光発電パネル１の枚数は、本実施形態のものには限られない。
【符号の説明】
【００４９】
１    太陽光発電パネル
２    架台
３    屋根面
４    鋼板
５    突き合わせ部
６    重ね合わせ部
１０    パネル体
１１    枠体
１２    横枠
１３    縦枠
２０    縦レール部材
２１    中間ブラケット
４０    底面部
４４    パネル固定部
４５    縦レールカバー
５０    上枠
５１    中空部
５２    パネル保持部
５３    係合部
５４    切欠部
５５    下枠
５６    中空部
５７    パネル保持部
５８    差込係合部
５９    覆い部
６０    底面部
６１    中空部
６２    被係合部
６３    差込被係合部
【図１】
2013076304.tif 000003
【図２】
2013076304.tif 000004
【図３】
2013076304.tif 000005
【図４】
2013076304.tif 000006
【図５】
2013076304.tif 000007
【図６】
2013076304.tif 000008
【図７】
2013076304.tif 000009